【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
デジタルビデオブロードキャスト（ＤＶＢ）システムにおける端末が通知メッセージを復旧する方法であって、
前記端末が通知デリバリーリストをサーバに要請するステップと、
前記要請に応じて所定の期間の間に送信した少なくとも１つの通知メッセージに関するリストを含む通知デリバリーリストをインタラクションネットワーク又はブロードキャストネットワークを通して前記サーバから受信するステップと、
前記受信された通知デリバリーリストに含まれた少なくとも１つの通知メッセージに関するリストに基づいて前記サーバから前に受信すべきだった通知メッセージを復旧するステップと
を有することを特徴とする通知メッセージ復旧方法。
【請求項２】
前記通知デリバリーリストを要請するメッセージは、要請された通知メッセージのタイプ情報、要請された通知メッセージの識別情報、要請された通知メッセージのバージョン情報、及び前記所定の期間を決定する開始時点及び終了時点に関する情報を有することを特徴とする請求項１に記載の通知メッセージ復旧方法。
【請求項３】
前記要請された通知メッセージのタイプ情報は、通知メッセージのタイプに対応する通知デリバリーリスト、通知メッセージ、及び通知初期コンテナーの中のいずれか１つを示す情報であることを特徴とする請求項２に記載の通知メッセージ復旧方法。
【請求項４】
前記所定の期間を決定する開始時点及び終了時点に関する情報は、ネットワーク時間プロトコル（ＮＴＰ）タイムスタンプであることを特徴とする請求項２又は請求項３に記載の通知メッセージ復旧方法。
【請求項５】
前記復旧するステップは、
前記受信された通知デリバリーリストに含まれた少なくとも１つの通知メッセージに関するリストに基づいて復旧する少なくとも１つの通知メッセージを確認するステップと、
前記確認された復旧する少なくとも１つの通知メッセージを前記サーバに要請するステップと、
前記要請に応じて前記確認された復旧する少なくとも１つの通知メッセージを前記サーバから受信するステップとを有することを特徴とする請求項１に記載の通知メッセージ復旧方法。
【請求項６】
前記通知デリバリーリストの要請は、ハイパーテキスト転送プロトコル（ＨＴＴＰ）ポスト（ＰＯＳＴ）プロトコルに基づいてなされることを特徴とする請求項１に記載の通知メッセージ復旧方法。
【請求項７】
デジタルビデオブロードキャストシステムにおける端末で通知メッセージを復旧する装置であって、
通知デリバリーリストをサーバに要請するクエリー要請送信部と、
前記要請に応じて所定の期間の間に送信した少なくとも１つの通知メッセージに関するリストを含む通知デリバリーリストをインタラクションネットワーク又はブロードキャストネットワークを通して前記サーバから受信する通知メッセージ受信部と、
前記受信した通知デリバリーリストに含まれた少なくとも１つの通知メッセージに関するリストに基づいて前記サーバから前に受信すべきだった通知メッセージを復旧する通知メッセージ解読部と
を有することを特徴とする通知メッセージ復旧装置。
【請求項８】
前記通知デリバリーリストを要請するメッセージは、要請された通知メッセージのタイプ情報、要請された通知メッセージの識別情報、要請された通知メッセージのバージョン情報、及び前記所定の期間を決定する開始時点及び終了時点に関する情報を有することを特徴とする請求項７に記載の通知メッセージ復旧装置。
【請求項９】
前記要請された通知メッセージのタイプ情報は、通知メッセージのタイプに対応する通知デリバリーリスト、通知メッセージ、及び通知初期コンテナーの中のいずれか１つを示す情報であることを特徴とする請求項８に記載の通知メッセージ復旧装置。
【請求項１０】
前記所定の期間を決定する開始時点及び終了時点に関する情報は、ネットワーク時間プロトコル（ＮＴＰ）タイムスタンプであることを特徴とする請求項８又は請求項９に記載の通知メッセージ復旧装置。
【請求項１１】
前記通知メッセージ解読部は、前記受信した通知デリバリーリストに含まれた少なくとも１つの通知メッセージに関するリストに基づいて復旧する少なくとも１つの通知メッセージを確認し、前記確認された復旧する少なくとも１つの通知メッセージを前記サーバに要請し、前記要請に応じて前記確認された復旧する少なくとも１つの通知メッセージを前記サーバから受信することを特徴とする請求項７に記載の通知メッセージ復旧装置。
【請求項１２】
前記通知デリバリーリストの要請は、ハイパーテキスト転送プロトコル（ＨＴＴＰ）ポスト（ＰＯＳＴ）プロトコルに基づいてなされることを特徴とする請求項７に記載の通知メッセージ復旧装置。
【請求項１３】
デジタルビデオブロードキャストシステムにおけるサーバが端末での通知メッセージの復旧をサポートする方法であって、
通知デリバリーリスト要請を前記端末から受信するステップと、
前記要請に応じて所定の期間の間に送信した少なくとも１つの通知メッセージに関するリストを含む通知デリバリーリストをインタラクションネットワーク又はブロードキャストネットワークを通して前記端末に送信するステップと
を有することを特徴とする通知メッセージ復旧サポート方法。
【請求項１４】
前記通知デリバリーリストを要請するメッセージは、要請された通知メッセージのタイプ情報、要請された通知メッセージの識別情報、要請された通知メッセージのバージョン情報、及び前記所定の期間を決定する開始時点及び終了時点に関する情報を有することを特徴とする請求項１３に記載の通知メッセージ復旧サポート方法。
【請求項１５】
前記要請された通知メッセージのタイプ情報は、通知メッセージのタイプに対応する通知デリバリーリスト、通知メッセージ、及び通知初期コンテナーの中のいずれか１つを示す情報であることを特徴とする請求項１４に記載の通知メッセージ復旧サポート方法。
【請求項１６】
前記所定の期間を決定する開始時点及び終了時点に関する情報は、ネットワーク時間プロトコル（ＮＴＰ）タイムスタンプであることを特徴とする請求項１４又は請求項１５に記載の通知メッセージ復旧サポート方法。
【請求項１７】
前記通知デリバリーリストの要請は、ハイパーテキスト転送プロトコル（ＨＴＴＰ）ポスト（ＰＯＳＴ）プロトコルに基づいてなされることを特徴とする請求項１３に記載の通知メッセージ復旧サポート方法。
【請求項１８】
デジタルビデオブロードキャストシステムにおけるサーバで端末での通知メッセージの復旧をサポートする装置であって、
通知デリバリーリストの要請を前記端末から受信するクエリー受信部と、
前記要請に応じて所定の期間の間に送信した少なくとも１つの通知メッセージに関するリストを含む通知デリバリーリストをインタラクションネットワーク又はブロードキャストネットワークを通して前記端末に送信する通知メッセージ送信部と
を有することを特徴とする通知メッセージ復旧サポート装置。
【請求項１９】
前記通知デリバリーリストを要請するメッセージは、要請された通知メッセージのタイプ情報、要請された通知メッセージの識別情報、要請された通知メッセージのバージョン情報、及び前記所定の期間を決定する開始時点及び終了時点に関する情報を有することを特徴とする請求項１８に記載の通知メッセージ復旧サポート装置。
【請求項２０】
前記要請された通知メッセージのタイプ情報は、通知メッセージのタイプに対応する通知デリバリーリスト、通知メッセージ、及び通知初期コンテナーの中のいずれか１つを示す情報であることを特徴とする請求項１９に記載の通知メッセージ復旧サポート装置。
【請求項２１】
前記所定の期間を決定する開始時点及び終了時点に関する情報は、ネットワーク時間プロトコル（ＮＴＰ）タイムスタンプであることを特徴とする請求項１９又は請求項２０に記載の通知メッセージ復旧サポート装置。
【請求項２２】
前記通知デリバリーリストの要請は、ハイパーテキスト転送プロトコル（ＨＴＴＰ）ポスト（ＰＯＳＴ）プロトコルに基づいてなされることを特徴とする請求項１８に記載の通知メッセージ復旧サポート装置。
【手続補正２】
【補正対象書類名】明細書
【補正対象項目名】発明の名称
【補正方法】変更
【補正の内容】
【発明の名称】通知メッセージ復旧装置及び方法並びに通知メッセージ復旧サポート装置及び方法
【手続補正３】
【補正対象書類名】明細書
【補正対象項目名】０００１
【補正方法】変更
【補正の内容】
【０００１】
本発明は、デジタルビデオブロードキャストシステムにおける通知メッセージを送受信
する装置及び方法に関し、特に、デジタルビデオブロードキャストシステムにおける通信チャネルを介して通知メッセージを送受信する装置及び方法並びに通知メッセージ復旧サポート装置及び方法に関する。
【手続補正４】
【補正対象書類名】明細書
【補正対象項目名】００１２
【補正方法】変更
【補正の内容】
【００１２】
本発明は、上記従来の問題点に鑑みてなされたものであり、その目的は、デジタルビデ
オブロードキャスト（ＤＶＢ）システムにおける通知メッセージを復旧する装置及び方
法並びに通知メッセージ復旧サポート装置及び方法を提供することにある。
【手続補正５】
【補正対象書類名】明細書
【補正対象項目名】００１３
【補正方法】変更
【補正の内容】
【００１３】
本発明の目的は、ＤＶＢシステムにおける通知メッセージを伝達するためのシグナリング情報を生成し、通信チャネルを介してこのシグナリング情報を復旧する装置及び方法並びに通知メッセージ復旧サポート装置及び方法を提供することにある。
【手続補正６】
【補正対象書類名】明細書
【補正対象項目名】００１４
【補正方法】変更
【補正の内容】
【００１４】
本発明の他の目的は、ＤＶＢシステムにおけるブロードキャストチャネルを介した通知メッセージだけでなくインタラクティブネットワークを介した通知メッセージを復旧する装置及び方法並びに通知メッセージ復旧サポート装置及び方法を提供することにある。
【手続補正７】
【補正対象書類名】明細書
【補正対象項目名】００１５
【補正方法】変更
【補正の内容】
【００１５】
本発明の更に他の目的は、ＤＶＢシステムにおけるインタラクティブネットワークを介して通知メッセージを効率的に復旧する装置及び方法並びに通知メッセージ復旧サポート装置及び方法を提供することにある。